(57)【要約】    【課題】  刃物が石や硬い木のような切断困難物に衝突して後退したときに、刃物が草刈機の回転駆動軸に衝突するのを回避する。刃物などの破損するおそれを少なくする。    【解決手段】  回転盤２の中心部に草刈機の回転駆動軸を取り付ける構成にし、回転盤の外周部に刃物１１を取付軸１２で回転可能に取り付けており、刃物は、回転盤と一緒に回転しつつ、回転盤の外周から放射方向に突出し、草に衝突すると、草を切り、切断困難物に衝突すると、取付軸の周りに回転して回転盤の中心部側に後退する草刈機用刃物盤において、回転盤は、回転盤の中心部側に後退した刃物の棟が回転駆動軸に衝突するのを回避する受け止め片５を設け、受け止め片は、受け止め面６に刃物の棟の面１４が面接触で衝突する構成にした。受け止め面と刃物の棟の面は平面にした。受け止め面は、緩衝面にした。【選択図】  図３
2009106257.tif 000002
【特許請求の範囲】
【請求項１】
回転盤の中心部に草刈機の回転駆動軸を取り付ける構成にし、回転盤の外周部に刃物を取付軸で回転可能に取り付けており、刃物は、回転盤と一緒に回転しつつ、回転盤の外周から放射方向に突出し、草に衝突すると、草を切り、切断困難物に衝突すると、取付軸の周りに回転して回転盤の中心部側に後退する草刈機用刃物盤において、
回転盤は、回転盤の中心部側に後退した刃物の棟が回転駆動軸に衝突するのを回避する受け止め片を設け、
受け止め片は、受け止め面に刃物の棟の面が面接触で衝突する構成にしたことを特徴とする草刈機用刃物盤。
【請求項２】
受け止め片は、受け止め面を平面にし、
刃物は、受け止め片の受け止め面に衝突する棟の面を平面にしたことを特徴とする請求項１に記載の草刈機用刃物盤。
【請求項３】
受け止め片の受け止め面は、緩衝面にしたことを特徴とする請求項１又は２に記載の草刈機用刃物盤。
【発明の詳細な説明】
【技術分野】
【０００１】
本発明は、草刈機の回転駆動軸に着脱可能に取り付ける刃物盤に関する。
【背景技術】
【０００２】
作業者が身体に付けて使用する草刈機の刃物盤は、回転盤の中心部に取付孔を設け、取付孔に草刈機の先端の回転駆動軸を取り付ける構成にしている。回転盤は、外周部の等間隔位置にそれぞれ刃物を取付軸で回転可能に取り付けている。
【０００３】
この刃物盤は、草刈機の先端の回転駆動軸に取り付け、草刈機の原動機の駆動で回転する。すると、短冊形状の刃物は、回転盤と一緒に回転しつつ、遠心力で、回転盤の外周からそれぞれ放射方向に突出する。刃物は、回転盤の回転中心の周りを回転移動中に、草に衝突すると、草を切り倒す。石や硬い木のような切断困難物に衝突すると、後退し、取付軸の周りに回転して、回転盤の中心部側に引っ込む。
【０００４】
また、特許文献２の図１０に示された刃物盤は、刃物が切断困難物に衝突したときの刃物の振れ範囲を狭くするため、刃物の近傍の両側に振れ止めを設けている。
【０００５】
【特許文献１】実開平５−２０５２９号公報
【特許文献２】特開昭５８−９６１２号公報（図１０）
【発明の開示】
【発明が解決しようとする課題】
【０００６】
［背景技術の課題］
草刈機用の刃物盤においては、刃物が回転盤の外周から突出する長さを長くすると、草を切る範囲が広くなり、草刈の能率が高くなる。しかし、刃物盤は、刃物が長くなり、大型になる。回転盤の外径を小さくすると、刃物盤は、小型になる。
【０００７】
そこで、小型で草刈能率を高くするため、刃物を長くして回転盤を小径にする。すると、草刈中に、刃物が切断困難物に衝突して後退し回転盤の中心部側に突入したとき、刃物が草刈機の回転駆動軸に衝突する。草刈機の回転駆動軸は、刃物が切断困難物に衝突する毎に刃物が衝突することになり、回転中に破損する危険がある。
【０００８】
［課題を解決するための着想］
刃物が切断困難物に衝突して回転盤の中心部側に後退したとき、刃物が草刈機の回転駆動軸に衝突する前に、刃物を受け止めることとした。刃物が回転駆動軸に衝突するのを回避することとした。回転盤には、その中心部側に後退した刃物の棟が当たる受け止め片を設けることとした。
【０００９】
また、受け止め片は、円形板や円柱にして外周面の円筒面で短冊形状の刃物を受ける構成にすると、その円筒面と刃物の棟、背面が線接触又は点接触で衝突し、衝突圧力が高くなる。そこで、受け止め片は、面で刃物の棟の面を面接触で受ける構成にすることとした。受け止め片の面と刃物の棟の面は、面接触で衝突し、衝突圧力が低くなる。受け止め片や刃物の破損するおそれが少なくなる。
【課題を解決するための手段】
【００１０】
１）回転盤の中心部に草刈機の回転駆動軸を取り付ける構成にし、回転盤の外周部に刃物を取付軸で回転可能に取り付けており、刃物は、回転盤と一緒に回転しつつ、回転盤の外周から放射方向に突出し、草に衝突すると、草を切り、石や硬い木のような切断困難物に衝突すると、取付軸の周りに回転して回転盤の中心部側に後退する草刈機用刃物盤において、
回転盤は、回転盤の中心部側に後退した刃物の棟が回転駆動軸に衝突するのを回避する受け止め片を設け、
受け止め片は、受け止め面に刃物の棟の面が面接触で衝突する構成にしたことを特徴とする。
２）上記の草刈機用刃物盤において、
受け止め片は、受け止め面を平面にし、
刃物は、受け止め片の受け止め面に衝突する棟の面を平面にしたことを特徴とする。
３）上記の草刈機用刃物盤において、
受け止め片の受け止め面は、例えば弾性材の面にして又は緩衝シートを貼って、緩衝面にしたことを特徴とする。
【発明の効果】
【００１１】
刃物を長くして回転盤を小径にしても、刃物が切断困難物に衝突して後退したときに、刃物が回転駆動軸に衝突するのが受け止め片で回避される。小型で草刈能率を高くすることができる。
【００１２】
また、受け止め片は、刃物の棟が面接触で衝突し、衝突圧力が低くなる。受け止め片や刃物の破損するおそれが少ない。
【発明を実施するための最良の形態】
【００１３】
［第１例（図１〜図５参照）］
本例は、作業者が身体に付けて使用する草刈機の刃物盤である。この刃物盤は、図１〜図４に示すように、回転盤１、２を２枚にして上下に配置している。上側回転盤１と下側回転盤２は、円板にし、中心部に取付孔３、４を貫通している。上下の両回転盤１、２は、外径を同一にしている。上側回転盤１の取付孔３は、下側回転盤２の取付孔４より小径にしている。
【００１４】
両回転盤１、２は、図５に示すように、中心部を草刈機の先端の取付部５１に取り付ける。取付部５１内の回転駆動軸５２は、取付孔３、４に貫通し、回転盤１、２の中心部に連結する。回転駆動軸５２の回転で、両回転盤１、２は、図３に示す矢印Ｒの向きに回転する。
【００１５】
上下の両回転盤１、２には、複数の受け止め片５を挟んで固定している。受け止め片５は、両回転盤１、２の間隔保持片と連結片を兼ねている。両回転盤１、２は、同心状に並列して連結している。受け止め片５は、直方体状ないし長方形板状にし、上面を上側回転盤１に、下面を下側回転盤２に固着している。両回転盤１、２と受け止め片５は、金属にし、溶接している。複数の受け止め片５は、両回転盤１、２の内周部に等間隔に配置している。直方体状の受け止め片５は、その長手方向を両回転盤１、２の周方向に沿って配置し、回転盤１、２の外周側の側面６、外側面６を受け止め面にしている。受け止め面６は、平面にしている。
【００１６】
両回転盤１、２の間には、刃物１１を取付軸１２で回転可能に取り付けている。刃物１１は、受け止め片５と同数にしている。複数の刃物１１は、両回転盤１、２の外周部に等間隔に配置している。取付軸１２は、上側回転盤１、座金、刃物１１、座金と下側回転盤２の軸孔を順次貫通している。取付軸１２の上端部は、上側回転盤１の上に突出し、大径にしている。取付軸１２の下端部は、下側回転盤２の下に突出し、大径にしている。取付軸１２の上下の両突出端部は、ドーム形状にし、草や蔓が引っ掛かり難い角のない滑らかな形状にしている。刃物１１の軸孔には、円筒軸受のブシュを嵌め込んでいる。取付軸１２は、リベットにしている。
【００１７】
刃物１１は、短冊形状ないし長方形状の板にし、取付軸１２の貫通する端部以外の大部分を両回転盤１、２の間から外方に突出している。回転盤１、２の回転時に、刃物１１は、回転盤１、２と一緒に回転しつつ、図１〜図５に示すように、回転盤１、２の外周から放射方向に突出する。短冊形状の刃物１１は、回転盤１、２の回転時の前側の長辺縁を刃１３にし、後側の長辺縁、棟の背面１４を衝突面にしている。衝突面１４は、平面にしている。
【００１８】
刃物１１が、図３に鎖線で示すように、取付軸１２の周りに、矢印Ｓの向きに回転して、刃物１１の棟の衝突面１４が受け止め片５の受け止め面６に当たるとき、両面１４、６が平行する、面接触する向きに、受け止め面６を配置している。
【００１９】
回転盤１、２の回転中に、刃物１１の刃１３が石や硬い木などの切断困難物に衝突すると、刃物１１は、図３に鎖線で示すように、取付軸１２の周りに、矢印Ｓの向きに回転して後退する。刃物１１は、回転盤１、２の中心部側に引っ込む。すると、刃物１１の棟は、受け止め片５に衝突する。刃物１１は、受け止め片５で回転駆動軸５２側への移動が止められる。刃物１１が回転駆動軸５２に衝突するのが回避される。
【００２０】
刃物１１の棟と受け止め片５の衝突は、刃物１１の棟の衝突面１４と受け止め片５の受け止め面６の面接触で行われる。平面の衝突面１４と平面の受け止め面６が平面で接触して衝突する。衝突圧力が低い。
【００２１】
［第２例（図６参照）］
本例の草刈機用刃物盤においては、図６に示すように、受け止め片５は、三角柱状ないし三角形板状にしている。刃物１１は、先の短辺縁を長辺縁に対して傾斜し、回転盤１、２の回転時の前側の長辺縁を後側の長辺縁より短くし、先の傾斜短辺縁を前側の長辺縁と同様に刃１３にしている。その他に点は、前例におけるのと同様である。
【００２２】
［変形例］
１）上記の実施形態において、受け止め片５の受け止め面６は、金属面にしているが、ゴムや合成樹脂の弾性材の面にして緩衝面にする。又は、金属面に緩衝シートを貼って緩衝面にする。
２）上記の実施形態において、回転盤１、２、受け止め片５と刃物１１は、金属にしているが、合成樹脂にする。
３）上記の実施形態において、受け止め片５を回転盤１、２に固定する手段は、溶接にしているが、その他の固定手段にする。
４）上記の実施形態において、回転盤１、２は、２枚にしているが、１枚にする。
５）上記の実施形態において、取付軸１２は、リベットにしているが、ボルトナットやピンなどにする。
【図面の簡単な説明】
【００２３】
【図１】本発明の実施形態の第１例における草刈機用刃物盤の平面図。
【図２】同草刈機用刃物盤の正面図。
【図３】図２のＡ−Ａ線断面図。
【図４】図１のＢ−Ｂ線端面図。
【図５】同草刈機用刃物盤を草刈機の取付部に取り付けた状態の正面図。
【図６】実施形態の第２例における草刈機用刃物盤の図で、図３と同様な断面図。
【符号の説明】
【００２４】
１、２  回転盤
１  上側回転盤
２  下側回転盤
３  上側回転盤の取付孔
４  下側回転盤の取付孔
５  受け止め片、両回転盤の間隔保持片と連結片
６  受け止め片の外側面、受け止め面、平面
Ｒ  回転盤の回転の向きを示す矢印
１１  刃物
１２  取付軸、リベット
１３  刃物の刃
１４  刃物の棟の背面、衝突面、平面
Ｓ  刃物の回転の向きを示す矢印
５１  草刈機の先端の取付部
５２  取付部内の回転駆動軸
【図１】
2009106257.tif 000003
【図２】
2009106257.tif 000004
【図３】
2009106257.tif 000005
【図４】
2009106257.tif 000006
【図５】
2009106257.tif 000007
【図６】
2009106257.tif 000008